(57)【要約】【課題】  補聴器本体の表面にスイッチを配置することなく、機能の切り替えができる耳かけ形補聴器を提供する。【解決手段】  回動させて開閉すると共に閉状態でスライド動作する電池ホルダ７と、この電池ホルダ７のスライド動作により機能を発揮する押しボタンスイッチ８を備え、この押しボタンスイッチ８を補聴器本体２の内部に配置した。また、閉状態における電池ホルダ７の回動動作を規制する突起部１５とリブ１６からなる規制手段と、閉状態における電池ホルダ７のスライド動作を一方向に案内するスライド溝１４とリブ１６からなるガイド手段を設けた。【選択図】        図５
2008219304.tif 000002
【特許請求の範囲】
【請求項１】
回動させて開閉すると共に閉状態でスライド動作する電池ホルダと、この電池ホルダのスライド動作により作動するスイッチを備え、このスイッチを補聴器本体の内部に配置したことを特徴とする耳かけ形補聴器。
【請求項２】
閉状態における前記電池ホルダの回動動作を規制する規制手段と、閉状態における前記電池ホルダのスライド動作を一方向に案内するガイド手段を設けた請求項１記載の耳かけ形補聴器。
【発明の詳細な説明】
【技術分野】
【０００１】
本発明は、電池ホルダを備えた耳かけ形補聴器に関する。
【背景技術】
【０００２】
従来の耳かけ形補聴器としては、往復動式オン／オフスイッチとして、並びに一位置式トグルスイッチとして機能する操作スイッチを補聴器ケースの背面に配置し、２つの異なった方向に操作し、それぞれの方向において相異するスイッチ機能を発揮するものが知られている（例えば、特許文献１参照）。
また、中心部に回転軸を有する円形の電池ホルダと、この電池ホルダをその回転軸の回りに回転可能に収納する補聴器ケースと、電池ホルダの回転角度を規制するストッパ手段と、電池ホルダの回転角度に応じて内部の電池の電極と接離する電池端子とを備え、電池の電源をオン・オフするために電池ホルダを回転させる耳かけ形補聴器が知られている（例えば、特許文献２参照）。
【０００３】
【特許文献１】特表２００２−５２４８８８号公報
【特許文献２】特開平７−１６２９９７号公報
【発明の開示】
【発明が解決しようとする課題】
【０００４】
しかし、特許文献１に記載のように、多機能であっても補聴器ケースの背面に配置されたスイッチでは、補聴器の小型化の妨げになると共に、汗や埃などが浸入し易く、故障の原因になるという問題がある。また、最近のデジタル補聴器は多機能で、特許文献２に記載のような電源をオン・オフするスイッチだけでは、十分な性能を使用者に提供することができず、例えばメモリ切替などができないという問題がある。
【０００５】
本発明は、従来の技術が有するこのような問題点に鑑みてなされたものであり、その目的とするところは、補聴器本体の表面にスイッチを配置することなく、機能の切り替えができる耳かけ形補聴器を提供しようとするものである。
【課題を解決するための手段】
【０００６】
上記課題を解決すべく請求項１に係る発明は、回動させて開閉すると共に閉状態でスライド動作する電池ホルダと、この電池ホルダのスライド動作により作動するスイッチを備え、このスイッチを補聴器本体の内部に配置した。
【０００７】
請求項２に係る発明は、請求項１記載の耳かけ形補聴器において、閉状態における前記電池ホルダの回動動作を規制する規制手段と、閉状態における前記電池ホルダのスライド動作を一方向に案内するガイド手段を設けた。
【発明の効果】
【０００８】
請求項１に係る発明によれば、補聴器本体の表面にスイッチを配置する必要がなくなるので、補聴器の小型化が図れる。また、スイッチが補聴器本体の内部に配置されるので、汗や埃などの補聴器本体内部への浸入を防止することができる。更に、スイッチを機能切替スイッチとして使用することができる。
【０００９】
請求項２に係る発明によれば、閉状態における電池ホルダの回動動作が規制手段により規制され、閉状態における電池ホルダのスライド動作がガイド手段により一方向に案内されるので、操作性に優れている。
【発明を実施するための最良の形態】
【００１０】
以下に本発明の実施の形態を添付図面に基づいて説明する。ここで、図１は本発明に係る耳かけ形補聴器の概要斜視図、図２は同じく電池ホルダの説明図、図３は連結ピンと連結孔の説明図、図４は回動溝とスライド溝の断面図、図５は動作説明図である。
【００１１】
本発明に係る耳かけ形補聴器１は、図１に示すように、補聴器本体２、フック３、チューブ４、ジョイント５、耳せん６からなる。７は電池ホルダである。補聴器本体２には、補聴処理部としてのＤＳＰ（Digital Signal Processor）、マイクロホン、イヤホンなどが収納されている。
【００１２】
電池ホルダ７は、図２に示すように、電池ホルダ７の縁部に形成した連結孔１１に、補聴器本体２の端部に立設した連結ピン１２を係合させ、連結ピン１２を中心に回動して開状態又は閉状態を維持する。８は押しボタンスイッチ、９は押しボタンスイッチ８からの信号を受けて機能の設定を切り替えるＤＳＰ、１０は電池である。
【００１３】
連結孔１１は、図３（ａ）に示すように、略鍵孔状に形成され、円形孔１１ａと、円形孔１１ａに連通する長孔１１ｂからなる。連結ピン１２は、図３（ｂ）に示すように、外周面に軸心を中心に互いに平行な２つの平面１２ａ，１２ｂを有して略四角柱形状に形成されている。従って、連結ピン１２の外周面は、平面１２ａ，１２ｂと円弧状の曲面１２ｃ，１２ｄを交互に配してなる。連結ピン１２は、一方の曲面１２ｃが補聴器本体２の内部中心を向くように立設している。
【００１４】
そして、電池ホルダ７が開状態の場合には、連結ピン１２は、図３（ｃ）に示すように、連結孔１１の円形孔１１ａに係合する。また、電池ホルダ７が閉状態の場合には、連結ピン１２は、図３（ｄ）に示すように、連結孔１１の円形孔１１ａに係合する。更に、電池ホルダ７がスライドした場合には、連結ピン１２は、図３（ｅ）に示すように、連結孔１１の長孔１１ｂに係合する。連結孔１１の形状と連結ピン１２の形状から、電池ホルダ７が閉状態の時のみ、電池ホルダ７はスライドすることができる。
【００１５】
また、電池ホルダ７には、図４に示すように、円弧状の回動溝１３と直線状のスライド溝１４が補聴器本体２と対向する縁部に連なって形成されている。回動溝１３とスライド溝１４の境には、補聴器本体２側に突出する突起部１５が設けられている。更に、電池ホルダ７が閉状態になる直前から閉状態に至るまで回動溝１３に係合し、閉状態後のスライド動作によりスライド溝１４に係合するリブ１６が補聴器本体２に設けられている。そして、突起部１５とリブ１６で規制手段を構成し、スライド溝１４とリブ１６でガイド手段を構成している。
【００１６】
以上のように構成された本発明に係る耳かけ形補聴器１の動作について説明する。先ず、電池１０を搭載した電池ホルダ７を閉状態にするため、電池ホルダ７が連結ピン１２と円形孔１１ａとの係合状態を維持しながら回動する。すると、リブ１６が回動溝１３に沿って摺動し、節度ある抵抗感を持って突起部１５を乗り越える。すると、図５（ａ）に示すように、電池ホルダ７の閉状態が維持される。
【００１７】
リブ１６が突起部１５を乗り越えてスライド溝１４に至ると、電池ホルダ７は回動動作を行うことはできないが、リブ１６はスライド溝１４に沿って摺動することができるので、電池ホルダ７はスライド溝１４と平行な一方向にスライドすることができる。この時、図５（ｂ）に示すように、連結ピン１２は、円形孔１１ａとの係合状態から長孔１１ｂとの係合状態に移る。
【００１８】
そして、電池ホルダ７が補聴器本体２の内部へスライドすると、押しボタンスイッチ８を押圧してオン状態にすることができる。なお、連結ピン１２が当接する長孔１１ｂの壁面１１ｃは、電池ホルダ７のスライド動作に対するストッパの役目を果たす。また、スライド溝１４の形状とリブ１６の形状との関係から、電池ホルダ７をスライド方向に押す手を放すと、電池ホルダ７はスライドする前の閉状態の位置に戻るように構成されている。
【００１９】
従って、電池ホルダ７のスライド方向への押し仕方によって、押しボタンスイッチ８のオン／オフ状態を変えて各種の信号を生成することができる。それにより、押しボタンスイッチ８からＤＳＰ９に指令信号が入力され、例えば、電池ホルダ７を押して押しボタンスイッチ８をオン状態にするたびに、メモリに保存された機能設定を切り替えることができたり、電池ホルダ７を押して押しボタンスイッチ８のオン状態を２秒以上維持すると、電源のオン／オフを切り替えたりすることができる。
【産業上の利用可能性】
【００２０】
本発明によれば、補聴器本体の表面にスイッチを配置する必要がなくなり、補聴器の小型化が図れるので見栄えが向上し、またスイッチが補聴器本体の内部に配置され、汗や埃などの補聴器本体内部への浸入を防止することができるので、耐久性が向上し、更にスイッチを機能切替スイッチとして使用することができるので、多機能化に対応可能になり、耳かけ形補聴器の需要拡大が促進される。
【図面の簡単な説明】
【００２１】
【図１】本発明に係る耳かけ形補聴器の概要斜視図
【図２】電池ホルダの説明図で、（ａ）は開状態の断面図、（ｂ）は閉状態の断面図
【図３】連結ピンと連結孔の説明図で、（ａ）は連結孔の平面図、（ｂ）は連結ピンの斜視図、（ｃ）は電池ホルダが開状態の断面図、（ｄ）は電池ホルダが閉状態の断面図、（ｅ）は電池ホルダがスライド状態の断面図
【図４】回動溝とスライド溝の断面図
【図５】動作説明図で、（ａ）は電池ホルダが閉状態の断面図、（ｂ）は電池ホルダがスライド状態の断面図
【符号の説明】
【００２２】
１…耳かけ形補聴器、２…補聴器本体、７…電池ホルダ、８…押しボタンスイッチ、９…ＤＳＰ、１０…電池、１１…連結孔、１２…連結ピン、１３…回動溝、１４…スライド溝、１５…突起部、１６…リブ。
【図１】
2008219304.tif 000003
【図２】
2008219304.tif 000004
【図３】
2008219304.tif 000005
【図４】
2008219304.tif 000006
【図５】
2008219304.tif 000007